(57)【要約】【課題】ＳＤＨ／ＳＯＮＥＴネットワークを介しておこなわれるデータ伝送処理の伝送効率を低下させることなく、データ伝送処理の制御を効率的におこなうこと。【解決手段】伝送装置４０のエラスティックストア部４０２、または、伝送装置４０のエラスティックストア部４０９が、クライアント装置または伝送装置５０から受信したデータのデータ量を検出し、検出したデータ量が所定の閾値を越えた場合に、ＶＣ−４マッピング処理部４０４が、ＰＰＰフレームを格納する領域として固定スタッフを利用することを示す固定スタッフ利用情報、または、アイドルフレームをＰＰＰフレーム間に挿入することによりＰＰＰフレームの送信量を抑制するアイドルフレーム送信要求情報をＶＣ−４フレームの固定スタッフに格納したフレームを伝送装置５０に送信する。【選択図】        図４
2006135754.tif 000002
【特許請求の範囲】
【請求項１】
ＳＤＨネットワークまたはＳＯＮＥＴネットワークを介してフレームを伝送するフレーム伝送装置であって、
他の装置から受信したデータのデータ量を検出するデータ量検出手段と、
前記データ量検出手段により検出されたデータ量が所定の閾値を越えた場合に、ＶＣフレームまたはＳＴＳフレームの固定スタッフにフレーム制御に係る情報を格納したフレームを伝送するフレーム伝送手段と、
を備えたことを特徴とするフレーム伝送装置。
【請求項２】
前記フレーム伝送手段は、固定スタッフをデータの格納場所として利用することを示す固定スタッフ利用情報をフレーム制御に係る情報として固定スタッフに格納し、固定スタッフをデータの格納場所として利用したフレームを伝送することを特徴とする請求項１に記載のフレーム伝送装置。
【請求項３】
前記フレーム伝送手段は、アイドルフレームの挿入要求に係る情報をフレーム制御に係る情報として固定スタッフに格納したフレームを伝送することを特徴とする請求項１に記載のフレーム伝送装置。
【請求項４】
ＳＤＨネットワークまたはＳＯＮＥＴネットワークを介して伝送されたフレームを受信するフレーム受信装置であって、
ＶＣフレームまたはＳＴＳフレームの固定スタッフにフレーム制御に係る情報を格納したフレームを受信するフレーム受信手段と、
前記フレーム受信手段により受信されたフレームの固定スタッフに格納されたフレーム制御に係る情報に基づいてフレーム制御を実行するフレーム制御手段と、
を備えたことを特徴とするフレーム受信装置。
【請求項５】
前記フレーム制御手段は、フレーム制御に係る情報として固定スタッフに格納されたアイドルフレームの挿入要求に係る情報に基づいて、他の装置に伝送するフレーム間にアイドルフレームを挿入するフレーム制御を実行することを特徴とする請求項４に記載のフレーム受信装置。
【発明の詳細な説明】
【技術分野】
【０００１】
この発明は、ＳＤＨ（Synchronous Digital Hierarchy）ネットワークまたはＳＯＮＥＴ（Synchronous Optical Network）ネットワークを介して伝送されたフレームを送信および受信するフレーム送信装置およびフレーム受信装置に関し、特に、ＳＤＨネットワークまたはＳＯＮＥＴネットワークを介しておこなわれるデータ伝送処理の伝送効率を低下させることなく、データ伝送処理の制御を効率的におこなうことができるフレーム送信装置およびフレーム受信装置に関する。
【背景技術】
【０００２】
近年、イーサネット（登録商標）のパケットをＳＤＨ／ＳＯＮＥＴのネットワークを介して伝送するＥＯＳ（Ethernet（登録商標） Over SDH/SONET）の技術が利用されるようになってきている。
【０００３】
図１１は、この従来のＥＯＳの技術を説明する図である。図１１に示すように、このＥＯＳの技術では、クライアント装置１ａ〜１ｈによりイーサネット（登録商標）のＬＡＮ３ａ，３ｂを介して送信されたパケットを、伝送装置２ａ，２ｂがＳＤＨ／ＳＯＮＥＴのＶＣ（Virtual Container）／ＳＴＳ（Synchronous Transport Signal）フレームにマッピングし、対向する伝送装置２ａ，２ｂにＳＤＨ／ＳＯＮＥＴネットワーク４を介して送信する。ここで、クライアント装置１ａ〜１ｈは、ルータなどの装置である。
【０００４】
そして、ＳＤＨ／ＳＯＮＥＴのフレームを受信した伝送装置２ａ，２ｂは、ＳＤＨ／ＳＯＮＥＴのフレームをイーサネット（登録商標）のパケットに変換し、パケットをクライアント装置１ａ〜１ｈに送信する。
【０００５】
ここで、クライアント装置１ａ〜１ｈおよび伝送装置２ａ，２ｂは、それぞれ所定の周波数のクロック信号を発生する発振器を備えており、そのクロック信号に基づいてデータの生成および読み取りをおこなう。
【０００６】
この発振器が発生するクロック信号の周波数が各装置で大きく異なると、データの読み取りを正しくおこなうことができなくなるため、ＩＥＥＥ（Institute of Electrical and Electronic Engineers）では装置間のクロック信号の周波数偏差が±５０ｐｐｍになるよう基準を定めている。
【０００７】
ところが、たとえクロック信号の周波数偏差が±５０ｐｐｍ以内に制限されているとしても、クロック信号の周波数が基準値から大きく外れると、パケットを有効に送信することが難しくなる。
【０００８】
たとえば、クライアント装置１ａ〜１ｄからクライアント装置１ｅ〜１ｈにデータが伝送装置２ａ，２ｂを経由して送信される場合を考える。この場合、クライアント装置１ａ〜１ｄのクロック信号の周波数が、伝送装置２ｂのクロック信号の周波数よりも大きいと、クライアント装置１ａ〜１ｄにより送信されたデータが伝送装置２ｂにしだいに蓄積し、パケットロスが発生する可能性がある。
【０００９】
また、ＳＤＨ／ＳＯＮＥＴネットワーク４において、クライアント装置１ａ〜１ｄから送信されたデータに対する流量制限がおこなわれているような場合には、クライアント装置１ａ〜１ｄのクロック信号の周波数が大きいと、クライアント装置１ａ〜１ｄにより送信されたデータが伝送装置２ａにしだいに蓄積し、パケットロスが発生する可能性がある。
【００１０】
このようなパケットロスに対処する方法として、たとえば、特許文献１には、対向装置から受信したパケット量が所定の値を越えた場合に、イーサネット（登録商標）の規格において規定されたＰＡＵＳＥパケットを対向装置に送信し、対向装置にパケットの送信量の制御をおこなわせる帯域制限方法が開示されている。
【００１１】
【特許文献１】特開２００２−３５３９７９号公報
【発明の開示】
【発明が解決しようとする課題】
【００１２】
しかしながら、上述した特許文献１の従来技術では、ＳＤＨ／ＳＯＮＥＴネットワーク４を介しておこなわれるデータの伝送処理の伝送効率が低下するのを防ぐことが難しいという問題があった。
【００１３】
具体的には、伝送装置２ｂがＳＤＨ／ＳＯＮＥＴネットワーク４を介して伝送装置２ａにＰＡＵＳＥパケットを送信するような場合に、伝送装置２ｂはＰＡＵＳＥパケットをＶＣフレームまたはＳＴＳフレームにマッピングするため、伝送装置２ｂが送信する通常のデータの送信量が制限され、伝送効率が低下するという問題があった。
【００１４】
また、クライアント装置１ａ〜１ｄのクロック信号の周波数が大きく、伝送装置２ａにクライアント装置１ａ〜１ｄから送信されたパケットが蓄積するような場合でも、それに対処することが難しかった。
【００１５】
そのため、ＳＤＨ／ＳＯＮＥＴネットワーク４を介しておこなわれるデータ伝送処理の伝送効率を低下させることなく、データ伝送処理の制御をいかに効率的におこなうことができるかが重要な問題となっている。
【００１６】
この発明は、上述した従来技術による問題点を解消するためになされたものであり、ＳＤＨ／ＳＯＮＥＴネットワークを介しておこなわれるデータ伝送処理の伝送効率を低下させることなく、データ伝送処理の制御を効率的におこなうことができるフレーム伝送装置およびフレーム受信装置を提供することを目的とする。
【課題を解決するための手段】
【００１７】
上述した課題を解決し、目的を達成するため、本発明は、ＳＤＨネットワークまたはＳＯＮＥＴネットワークを介してフレームを伝送するフレーム伝送装置であって、他の装置から受信したデータのデータ量を検出するデータ量検出手段と、前記データ量検出手段により検出されたデータ量が所定の閾値を越えた場合に、ＶＣフレームまたはＳＴＳフレームの固定スタッフにフレーム制御に係る情報を格納したフレームを伝送するフレーム伝送手段と、を備えたことを特徴とする。
【００１８】
また、本発明は、上記発明において、前記フレーム伝送手段は、固定スタッフをデータの格納場所として利用することを示す固定スタッフ利用情報をフレーム制御に係る情報として固定スタッフに格納し、固定スタッフをデータの格納場所として利用したフレームを伝送することを特徴とする。
【００１９】
また、本発明は、上記発明において、前記フレーム伝送手段は、アイドルフレームの挿入要求に係る情報をフレーム制御に係る情報として固定スタッフに格納したフレームを伝送することを特徴とする。
【００２０】
また、本発明は、ＳＤＨネットワークまたはＳＯＮＥＴネットワークを介して伝送されたフレームを受信するフレーム受信装置であって、ＶＣフレームまたはＳＴＳフレームの固定スタッフにフレーム制御に係る情報を格納したフレームを受信するフレーム受信手段と、前記フレーム受信手段により受信されたフレームの固定スタッフに格納されたフレーム制御に係る情報に基づいてフレーム制御を実行するフレーム制御手段と、を備えたことを特徴とする。
【００２１】
また、本発明は、上記発明において、前記フレーム制御手段は、フレーム制御に係る情報として固定スタッフに格納され、固定スタッフをデータの格納場所として利用することを示す固定スタッフ利用情報に基づいて、固定スタッフを格納場所として利用することにより送信されたデータを取得するフレーム制御を実行することを特徴とする。
【００２２】
また、本発明は、上記発明において、前記フレーム制御手段は、フレーム制御に係る情報として固定スタッフに格納されたアイドルフレームの挿入要求に係る情報に基づいて、他の装置に伝送するフレーム間にアイドルフレームを挿入するフレーム制御を実行することを特徴とする。
【００２３】
また、本発明は、ＳＤＨネットワークまたはＳＯＮＥＴネットワークを介してフレームを送受信するフレーム送受信方法であって、他の装置から受信したデータのデータ量を検出するデータ量検出工程と、前記データ量検出工程により検出されたデータ量が所定の閾値を越えた場合に、ＶＣフレームまたはＳＴＳフレームの固定スタッフにフレーム制御に係る情報を格納したフレームを伝送するフレーム伝送工程と、前記フレーム伝送工程により伝送されたフレームを受信した場合に、受信したフレームの固定スタッフに格納されたフレーム制御に係る情報に基づいてフレーム制御を実行するフレーム制御工程と、を含んだことを特徴とする。
【００２４】
また、本発明は、ＳＤＨネットワークまたはＳＯＮＥＴネットワークを介してフレームを送受信するフレーム送受信システムであって、他の装置から受信したデータのデータ量を検出するデータ量検出手段と、前記データ量検出手段により検出されたデータ量が所定の閾値を越えた場合に、ＶＣフレームまたはＳＴＳフレームの固定スタッフにフレーム制御に係る情報を格納したフレームを伝送するフレーム伝送手段と、前記フレーム伝送手段により伝送されたフレームを受信した場合に、受信したフレームの固定スタッフに格納されたフレーム制御に係る情報に基づいてフレーム制御を実行するフレーム制御手段と、を備えたことを特徴とする。
【発明の効果】
【００２５】
本発明によれば、他の装置から受信したデータのデータ量を検出し、検出したデータ量が所定の閾値を越えた場合に、ＶＣフレームまたはＳＴＳフレームの固定スタッフにフレーム制御に係る情報を格納したフレームを伝送することとしたので、伝送装置にデータが蓄積しているような場合に、ＳＤＨ／ＳＯＮＥＴネットワークを介しておこなわれるデータ伝送処理の伝送効率を低下させることなく、データ伝送処理の制御を効率的におこなうことができるという効果を奏する。
【００２６】
また、本発明によれば、固定スタッフをデータの格納場所として利用することを示す固定スタッフ利用情報をフレーム制御に係る情報として固定スタッフに格納し、固定スタッフをデータの格納場所として利用したフレームを伝送することとしたので、伝送装置にデータが蓄積しているような場合に、データの伝送処理の制御を効率的におこなうとともに、データの伝送効率を高めることができるという効果を奏する。
【００２７】
また、本発明によれば、アイドルフレームの挿入要求に係る情報をフレーム制御に係る情報として固定スタッフに格納したフレームを伝送することとしたので、伝送装置にデータが蓄積しているような場合に、ＳＤＨ／ＳＯＮＥＴネットワークを介しておこなわれるデータ伝送処理の伝送効率を低下させることなく、アイドルフレームの挿入要求を効率的に送信することができるという効果を奏する。
【００２８】
また、本発明によれば、ＶＣフレームまたはＳＴＳフレームの固定スタッフにフレーム制御に係る情報を格納したフレームを受信し、受信したフレームの固定スタッフに格納されたフレーム制御に係る情報に基づいてフレーム制御を実行することとしたので、ＳＤＨ／ＳＯＮＥＴネットワークを介しておこなわれるデータ伝送処理の伝送効率を低下させることなく、データ伝送処理の制御を効率的におこなうことができるという効果を奏する。
【００２９】
また、本発明によれば、フレーム制御に係る情報として固定スタッフに格納され、固定スタッフをデータの格納場所として利用することを示す固定スタッフ利用情報に基づいて、固定スタッフを格納場所として利用することにより送信されたデータを取得するフレーム制御を実行することとしたので、データの伝送処理の制御を効率的におこなうとともに、データの伝送効率を高めることができるという効果を奏する。
【００３０】
また、本発明によれば、フレーム制御に係る情報として固定スタッフに格納されたアイドルフレームの挿入要求に係る情報に基づいて、他の装置に伝送するフレーム間にアイドルフレームを挿入するフレーム制御を実行することとしたので、ＳＤＨ／ＳＯＮＥＴネットワークを介しておこなわれるデータ伝送処理の伝送効率を低下させることなく、アイドルフレームの挿入要求を効率的に受信し、アイドルフレームを挿入する処理を実行することができるという効果を奏する。
【００３１】
また、本発明によれば、他の装置から受信したデータのデータ量を検出し、検出したデータ量が所定の閾値を越えた場合に、ＶＣフレームまたはＳＴＳフレームの固定スタッフにフレーム制御に係る情報を格納したフレームを伝送し、伝送したフレームを受信した場合に、受信したフレームの固定スタッフに格納されたフレーム制御に係る情報に基づいてフレーム制御を実行することとしたので、ＳＤＨ／ＳＯＮＥＴネットワークを介しておこなわれるデータ伝送処理の伝送効率を低下させることなく、データ伝送処理の制御を効率的におこなうことができるという効果を奏する。
【発明を実施するための最良の形態】
【００３２】
以下に添付図面を参照して、本発明に係るフレーム伝送装置およびフレーム受信装置の好適な実施例を詳細に説明する。
【実施例】
【００３３】
まず、図１、図２および図３を用いて、本発明に係るフレームの送受信処理の概念について説明する。図１は、ＶＣ−４フレーム１０の固定スタッフ１２をデータの格納場所として利用するフレーム送受信処理の概念を説明する図である。
【００３４】
このフレーム送受信処理は、図１１で説明したように、クライアント装置１ａ〜１ｄのクロック信号の周波数が大きく、クライアント装置１ａ〜１ｄにより送信されたデータが伝送装置２ａに所定量以上蓄積したような場合に実行されるものである。
【００３５】
図１に示すように、このＶＣ−４フレーム１０は、ＰＯＨ（Path Overhead）１１と、固定スタッフ１２と、ペイロード１３の各領域から構成されている。ＰＯＨ１１は、フレーム伝送の運用管理に係る制御情報を格納する領域である。固定スタッフ１２は、すべてのビット値が「１」に設定された領域である。ペイロード１３は、ＰＰＰ（Point to Point Protocol）フレームを格納する領域である。
【００３６】
そして、クライアント装置により送信されたデータが伝送装置に所定量以上蓄積したことが検出された場合には、ＰＰＰフレームを格納する領域として固定スタッフ１２を利用することを示す固定スタッフ利用情報「５５」を固定スタッフに格納する。また、固定スタッフ１２およびペイロード１３の領域からなるフレーム格納領域１４にＰＰＰフレームを格納してＶＣ−４フレーム１０を送信する。
【００３７】
このＶＣ−４フレーム１０を受信した伝送装置は、ＶＣ−４フレーム１０の固定スタッフ１２に「５５」の値が格納されているか否かを調べることにより、ＰＰＰフレームが固定スタッフ１２を利用して送信されたか否かを判定することができる。そして、固定スタッフ１２に「５５」の値が格納されている場合には、フレーム格納領域１４からＰＰＰフレームを取り出す処理をおこなう。
【００３８】
なお、固定スタッフ利用情報については、１ビットの送信誤りまでは許容することとする。すなわち、固定スタッフ利用情報が「５４」、「５７」、「５１」、「５Ｄ」、「４５」、「７５」、「１５」、「Ｄ５」など、「５」を含む値であった場合には、すべて「５５」の値が格納されたものとして取り扱う。固定スタッフ利用情報がそれ以外の値である場合には、固定スタッフ利用情報は無効なデータとして取り扱うこととする。
【００３９】
このように、伝送装置にデータが蓄積しているような場合に、固定スタッフ１２に固定スタッフ利用情報「５５」を格納するとともに、固定スタッフ１２の領域をＰＰＰフレームの格納場所として利用することにより、データの伝送処理の制御を効率的におこなうとともに、データの伝送効率を高めることができる。
【００４０】
図２は、ＶＣ−４フレーム２０の固定スタッフ２２をアイドルフレーム送信要求情報の格納場所として利用するフレーム送受信処理の概念を説明する図である。このフレーム送受信処理は、図１１で説明したように、クライアント装置１ａ〜１ｄのクロック信号の周波数が大きく、クライアント装置１ａ〜１ｄにより送信されたデータが伝送装置２ｂに所定量以上蓄積した場合に実行されるものである。
【００４１】
この処理では、伝送装置は、以下に説明するアイドルフレームの送信要求を含んだＶＣ−４フレーム２０をデータの送信元である伝送装置に送信する。そして、このＶＣ−４フレーム２０を受信した伝送装置は、アイドルフレームをＰＰＰフレーム間に挿入してＶＣ−４フレームに格納することにより、ＰＰＰフレームの送信量を抑制する処理をおこなう。
【００４２】
ここで、アイドルフレームとは、ＩＴＵ−Ｔ（International Telecommunication Union Telecommunication Standardization Sector）で規定されているＧＦＰ（Generic Framing Process）のフレームフォーマットにおける４バイトのアイドルフレームである。
【００４３】
図２に示すように、このＶＣ−４フレーム２０は、アイドルフレームの送信を要求するアイドルフレーム送信要求情報「ＡＡ」を固定スタッフ２２に格納する。なお、アイドルフレーム送信要求情報を固定スタッフ２２に格納する場合でも、ＶＣ−４フレーム２０のＰＯＨ２１およびペイロード２３には、制御情報およびＰＰＰフレームを格納することができる。
【００４４】
このＶＣ−４フレーム２０を受信した伝送装置は、ＶＣ−４フレーム２０の固定スタッフ２２に「ＡＡ」の値が格納されているか否かを調べることにより、アイドルフレームを送信するよう要求されたか否かを判定することができる。
【００４５】
そして、固定スタッフ２２に「ＡＡ」の値が格納されている場合には、アイドルフレームをＰＰＰフレーム間に挿入してＶＣ−４フレームに格納し、アイドルフレームの送信要求をおこなった伝送装置にそのＶＣ−４フレームを送信する。
【００４６】
なお、アイドルフレーム送信要求情報については、１ビットの送信誤りまでは許容することとする。すなわち、アイドルフレーム送信要求情報が「ＡＡ」、「ＡＢ」、「Ａ８」、「ＡＥ」、「Ａ２」、「ＢＡ」、「８Ａ」、「ＥＡ」、「２Ａ」など、「Ａ」を含む値であった場合には、すべて「ＡＡ」の値が格納されたものとして取り扱う。アイドルフレーム送信要求情報がそれ以外の値である場合には、アイドルフレーム送信要求情報は無効なデータとして取り扱うこととする。
【００４７】
図３は、アイドルフレーム３５をＰＰＰフレーム３４ａ，３４ｂ間に挿入してＶＣ−４フレーム３０に格納する処理を説明する図である。図３に示すように、伝送装置は、ＰＰＰフレーム３４ａ，３４ｂ間にアイドルフレーム３５を挿入して、それらをＶＣ−４フレーム３０のペイロード３３に格納する。この場合、ＶＣ−４フレーム３０のＰＯＨ３１および固定スタッフ３２には、制御情報および「１」のビット値が格納される。
【００４８】
そして、伝送装置は、このＶＣ−４フレーム３０を、アイドルフレームの送信要求をおこなった伝送装置に送信することにより、当該伝送装置に送信するＰＰＰフレームの送信量を抑制する。
【００４９】
このように、伝送装置にデータが蓄積しているような場合に、ＶＣ−４フレームの固定スタッフにアイドルフレームの挿入要求を格納して対向する伝送装置に送信することにより、データ伝送処理の伝送効率を低下させることなく、アイドルフレームの挿入要求を効率的に送信することができる。
【００５０】
つぎに、本実施例に係るフレーム送受信システムの機能構成について説明する。図４は、本実施例に係るフレーム送受信システムの機能構成を示す図である。図４に示すように、このフレーム送受信システムは、伝送装置４０および伝送装置５０がＳＤＨネットワーク６０ａ，６０ｂを介して接続された構成となっている。
【００５１】
また、伝送装置４０および伝送装置５０は、クロック信号発振装置７０に接続されている。このクロック信号発振装置７０は、ＳＤＨネットワーク６０ａ，６０ｂを介して送信されるデータを同期させるためのクロック信号を発振し、ＳＤＨネットワーク６０ａ，６０ｂに接続された装置にクロック信号を供給する装置である。
【００５２】
伝送装置４０，５０は、ルータなどのクライアント装置からデータを受信し、受信したデータをＳＤＨネットワーク６０ａ，６０ｂを介して送信するためのＶＣ−４フォーマットのフレームに変換し、対向する伝送装置４０，５０にデータを送信する処理をおこなう。
【００５３】
この伝送装置４０は、データ受信処理部４０１、エラスティックストア部４０２、ＰＰＰマッピング処理部４０３、ＶＣ−４マッピング処理部４０４、データ送信処理部４０５、データ受信処理部４０６、ＶＣ−４終端処理部４０７、ＰＰＰ終端処理部４０８、エラスティックストア部４０９、データ送信処理部４１０およびクロック信号発振部４１１を有する。
【００５４】
データ受信処理部４０１は、ルータなどのクライアント装置からイーサネット（登録商標）のデータを受信し、受信したデータからクロック信号を分離する。エラスティックストア部４０２は、データ受信処理部４０１が受信したデータを蓄積するメモリを有し、メモリに蓄積したデータの蓄積量を検出する。
【００５５】
そして、エラスティックストア部４０２は、データの蓄積量が所定の閾値を越えた場合に、図１で説明したように、ＶＣ−４フレームの固定スタッフをデータの格納場所として利用してデータを送信するようＶＣ−４マッピング処理部４０４に要求する処理をおこなう。
【００５６】
ＰＰＰマッピング処理部４０３は、クライアント装置から受信したデータをＰＰＰフレームに変換する。ＶＣ−４マッピング処理部４０４は、ＰＰＰマッピング処理部４０３によりＰＰＰフレームに変換されたデータをＶＣ−４フレームに変換する。
【００５７】
また、このＶＣ−４マッピング処理部４０４は、エラスティックストア部４０２によりＶＣ−４フレームの固定スタッフをデータの格納場所として利用してデータを送信するよう要求された場合に、固定スタッフ利用情報「５５」をＶＣ−４フレームの固定スタッフに格納する。さらに、ＶＣ−４マッピング処理部４０４は、固定スタッフおよびペイロードの領域からなるフレーム格納領域にＰＰＰフレームを格納する。
【００５８】
図５は、図４に示したＶＣ−４マッピング処理部４０４の詳細な機能構成を示す図である。このＶＣ−４マッピング処理部４０４は、データバッファ８０、固定スタッフ設定部８１、ＰＯＨ制御部８２、制御バイト設定部８３、ＭＵＸ（Multiplexing）制御部８４、２６１進カウンタ８５、９進カウンタ８６、ＭＵＸ（Multiplexing）実行部８７を有する。
【００５９】
データバッファ８０は、ＰＰＰマッピング処理部４０３により出力されたＰＰＰフレームを蓄積するバッファである。固定スタッフ設定部８１は、ＶＣ−４フレームの固定スタッフのバイト値を「１」に設定する設定部である。ＰＯＨ制御部８２は、ＶＣ−４フレームのＰＯＨの設定をおこなう制御部である。
【００６０】
制御バイト設定部８３は、エラスティックストア部４０２によりＶＣ−４フレームの固定スタッフをＰＰＰフレームの格納場所として利用するよう要求された場合に、固定スタッフに固定スタッフ利用情報「５５」を埋め込むとともに、ＭＵＸ制御部８４に対して、固定スタッフおよびペイロードの領域からなるフレーム格納領域にＰＰＰフレームを格納するよう要求する。
【００６１】
また、制御バイト設定部８３は、後に説明するエラスティックストア部４０９によりアイドルフレームの送信要求を伝送装置５０に送信するよう要求された場合に、図２で説明したように、固定スタッフにアイドルフレーム送信要求情報「ＡＡ」を埋め込む処理をおこなう。
【００６２】
ＭＵＸ制御部８４は、ＭＵＸ実行部８７を制御して、データバッファ８０、固定スタッフ設定部８１、ＰＯＨ制御部８２および制御バイト設定部８３から取得した信号を多重化してＶＣ−４フレームを生成させる制御部である。
【００６３】
２６１進カウンタ８５は、ＶＣ−４フレームの列をカウントするカウンタである。９進カウンタ８６は、ＶＣ−４フレームの行をカウントするカウンタである。ＭＵＸ実行部８７は、データバッファ８０、固定スタッフ設定部８１、ＰＯＨ制御部８２および制御バイト設定部８３から取得した信号を多重化してＶＣ−４フレームを生成する処理を実行する。
【００６４】
図４の説明に戻ると、データ送信処理部４０５は、ＶＣ−４マッピング処理部４０４により生成されたＶＣ−４フレームをＡＵ（Administrative Unit）フレームに変換し、さらにＡＵフレームをＳＴＭ（Synchronous Transport Module）フレームに変換して伝送装置５０にデータを送信する。
【００６５】
データ受信処理部４０６は、伝送装置５０によりＳＤＨネットワーク６０ｂを介して送信されたＳＴＭフレームを受信し、ＳＴＭフレームをＡＵフレームに、さらにＡＵフレームをＶＣ−４フレームに変換するＳＴＭフレームおよびＡＵフレームの終端処理をおこなう。
【００６６】
ＶＣ−４終端処理部４０７は、ＶＣ−４フレームのペイロードに格納されたＰＰＰフレームを取り出すＶＣ−４フレームの終端処理をおこなう。ＰＰＰ終端処理部４０８は、ＰＰＰフレームをクライアント装置に送信するイーサネット（登録商標）のデータに変換するＰＰＰフレームの終端処理をおこなう。
【００６７】
エラスティックストア部４０９は、ＰＰＰ終端処理部４０８が終端処理をおこなうことにより得られたデータを蓄積するメモリを有し、メモリに蓄積したデータの蓄積量を検出する。そして、エラスティックストア部４０９は、データの蓄積量が所定の閾値を越えた場合に、図２で説明したように、アイドルフレームの送信要求を含んだＶＣ−４フレームを伝送装置５０に送信するようＶＣ−４マッピング処理部４０４に対して要求する。
【００６８】
データ送信処理部４１０は、エラスティックストア部４０９に蓄積されたデータを変調し、クライアント装置に送信する。クロック信号発振部４１１は、クロック信号を発振する発信器であり、エラスティックストア部４０９およびデータ送信処理部４１０にクロック信号を供給する。
【００６９】
ここで、エラスティックストア部４０２、ＰＰＰマッピング処理部４０３、ＶＣ−４マッピング処理部４０４、ＶＣ−４終端処理部４０７、ＰＰＰ終端処理部４０８およびエラスティックストア部４０９は、クロック信号発振装置７０により発振されたクロック信号を受信して信号の生成をおこなう。
【００７０】
一方、伝送装置５０は、データ受信処理部５０１、ＶＣ−４終端処理部５０２、ＰＰＰ終端処理部５０３、エラスティックストア部５０４、データ送信処理部５０５、クロック信号発振部５０６、データ受信処理部５０７、エラスティックストア部５０８、ＰＰＰマッピング処理部５０９、ＶＣ−４マッピング処理部５１０およびデータ送信処理部５１１を有する。
【００７１】
データ受信処理部５０１は、伝送装置４０によりＳＤＨネットワーク６０ａを介して送信されたＳＴＭフレームを受信し、ＳＴＭフレームをＡＵフレームに、さらにＡＵフレームをＶＣ−４フレームに変換するＳＴＭフレームおよびＡＵフレームの終端処理をおこなう。
【００７２】
ＶＣ−４終端処理部５０２は、ＶＣ−４フレームのペイロードに格納されたＰＰＰフレームを取り出すＶＣ−４フレームの終端処理をおこなう。その際、ＶＣ−４終端処理部５０２は、ＶＣ−４フレームの固定スタッフに固定スタッフ利用情報またはアイドルフレーム送信要求情報が格納されているか否かを調べる。
【００７３】
そして、固定スタッフ利用情報が固定スタッフに格納されている場合には、ＶＣ−４終端処理部５０２は、固定スタッフおよびペイロードの領域からなるフレーム格納領域に格納されたＰＰＰフレームを取り出す処理をおこなう。
【００７４】
また、アイドルフレーム送信要求情報が固定スタッフに格納されている場合には、ＶＣ−４終端処理部５０２は、ＰＰＰマッピング処理部５０９に対して、ＰＰＰフレーム間にアイドルフレームを挿入するよう要求する処理をおこなう。
【００７５】
図６は、図４に示したＶＣ−４終端処理部５０２の詳細な機能構成を示す図である。このＶＣ−４終端処理部５０２は、ＤＥＭＵＸ（Demultiplexing）実行部９０、ＰＯＨ制御部９１、制御バイト検出部９２、ＤＥＭＵＸ（Demultiplexing）制御部９３、２６１進カウンタ９４、９進カウンタ９５、データバッファ９６を有する。
【００７６】
ＤＥＭＵＸ実行部９０は、データ受信処理部５０１からＶＣ−４フレームを取得し、ＰＯＨ、固定スタッフおよびＰＰＰフレームの信号を分離する処理をおこなう。ＰＯＨ制御部９１は、ＤＥＭＵＸ実行部９０からＰＯＨの情報を取得し、フレーム伝送の運用管理処理をおこなう。
【００７７】
制御バイト検出部９２は、固定スタッフに固定スタッフ利用情報またはアイドルフレーム送信要求情報が格納されているか否かを調べる。そして、固定スタッフ利用情報が固定スタッフに格納されている場合には、制御バイト検出部９２は、ＤＥＭＵＸ制御部９３に対して、ＰＰＰフレームが固定スタッフおよびペイロードの領域からなるフレーム格納領域に格納されていることを通知する。
【００７８】
また、アイドルフレーム送信要求情報が固定スタッフに格納されている場合には、ＰＰＰマッピング処理部５０９に対して、ＰＰＰフレーム間にアイドルフレームを挿入するよう要求する処理をおこなう。ＤＥＭＵＸ制御部９３は、ＤＥＭＵＸ実行部９０を制御して、ＶＣ−４フレームからＰＯＨ、固定スタッフおよびＰＰＰフレームの信号を分離させる制御部である。
【００７９】
このＤＥＭＵＸ制御部９３は、制御バイト検出部９２により、ＰＰＰフレームが固定スタッフおよびペイロードの領域からなるフレーム格納領域に格納されていることを通知された場合に、フレーム格納領域からＰＰＰフレームの信号を分離するようＤＥＭＵＸ実行部９０を制御する。
【００８０】
２６１進カウンタ９４は、ＶＣ−４フレームの列をカウントするカウンタである。９進カウンタ９５は、ＶＣ−４フレームの行をカウントするカウンタである。データバッファ９６は、ＤＥＭＵＸ実行部９０によりＶＣ−４フレームから分離されたＰＰＰフレームを蓄積するバッファである。
【００８１】
図４の説明に戻ると、ＰＰＰ終端処理部５０３は、ＰＰＰフレームをクライアント装置に送信するイーサネット（登録商標）のデータに変換するＰＰＰフレームの終端処理をおこなう。エラスティックストア部５０４は、ＰＰＰ終端処理部５０３が終端処理をおこなうことにより得られたデータを蓄積する。
【００８２】
データ送信処理部５０５は、エラスティックストア部５０４に蓄積されたデータを変調し、クライアント装置に送信する。クロック信号発振部５０６は、クロック信号を発振する発信器であり、エラスティックストア部５０４およびデータ送信処理部５０５にクロック信号を供給する。
【００８３】
データ受信処理部５０７は、ルータなどのクライアント装置からイーサネット（登録商標）のデータを受信し、受信したデータからクロック信号を分離する。エラスティックストア部５０８は、データを蓄積するメモリを有し、データ受信処理部５０７が受信したデータをメモリに蓄積する。
【００８４】
ＰＰＰマッピング処理部５０９は、クライアント装置から受信したデータをＰＰＰフレームに変換する。また、このＰＰＰマッピング処理部５０９は、ＶＣ−４終端処理部５０２によりＰＰＰフレーム間にアイドルフレームを挿入するよう要求された場合に、ＰＰＰフレーム間にアイドルフレームを挿入する。
【００８５】
ＶＣ−４マッピング処理部５１０は、ＰＰＰマッピング処理部５０９によりＰＰＰフレームに変換されたデータをＶＣ−４フレームに変換する。その際、ＰＰＰマッピング処理部５０９によりアイドルフレームが挿入された場合には、ＶＣ−４マッピング処理部５１０は、図３で説明したようにして、ＰＰＰフレームとともにアイドルフレームをＶＣ−４フレームに変換する。
【００８６】
データ送信処理部５１１は、ＶＣ−４マッピング処理部５１０により生成されたＶＣ−４フレームをＡＵフレームに変換し、さらにＡＵフレームをＳＴＭフレームに変換して伝送装置４０にデータを送信する。
【００８７】
つぎに、固定スタッフをＰＰＰフレームの格納場所として利用したＶＣ−４フレームを送信する処理の処理手順について説明する。図７は、固定スタッフをＰＰＰフレームの格納場所として利用したＶＣ−４フレームを送信する処理の処理手順を示すフローチャートである。
【００８８】
図７に示すように、まず、伝送装置４０のデータ受信処理部４０１は、クライアント装置からデータを受信する（ステップＳ１０１）。そして、エラスティックストア部４０２は、受信したデータを蓄積し（ステップＳ１０２）、蓄積量が所定の閾値以上であるか否かを調べる（ステップＳ１０３）。
【００８９】
データの蓄積量が閾値以上である場合には（ステップＳ１０３，Ｙｅｓ）、ＶＣ−４マッピング処理部４０４の制御バイト設定部８３は、ＰＰＰフレームを格納する領域として固定スタッフを利用することを示す固定スタッフ利用情報を生成する（ステップＳ１０４）。
【００９０】
そして、ＶＣ−４マッピング処理部４０４のＭＵＸ実行部８７は、固定スタッフ利用情報を固定スタッフに含み、ＰＰＰフレームを格納するフレーム格納領域として固定スタッフを利用したＶＣ−４フレームを生成する（ステップＳ１０５）。その後、データ送信処理部４０５は、生成したＶＣ−４フレームを伝送装置５０に送信し（ステップＳ１０６）、このＶＣ−４フレームの送信処理を終了する。
【００９１】
ステップＳ１０３において、データの蓄積量が閾値未満である場合には（ステップＳ１０３，Ｎｏ）、ＶＣ−４マッピング処理部４０４のＭＵＸ実行部８７は、固定スタッフをすべて「１」に設定したＶＣ−４フレームを生成する（ステップＳ１０７）。そして、ステップＳ１０６に移行して、データ送信処理部４０５は、生成したＶＣ−４フレームを伝送装置５０に送信し、このＶＣ−４フレームの送信処理を終了する。
【００９２】
なお、固定スタッフにＰＰＰフレームを格納したＶＣ−４フレームを送信した後、エラスティックストア部４０２に蓄積されたデータのデータ量が閾値未満になった場合には、ＶＣ−４マッピング処理部４０４は、エラスティックストア部４０２からその通知を受け付け、固定スタッフをすべて「１」に設定し、ＰＰＰフレームをペイロードに格納した通常のＶＣ−４フレームを生成するよう処理の切り替えをおこなう。
【００９３】
つぎに、ＶＣ−４フレームからＰＰＰフレームを取得する処理の処理手順について説明する。図８は、ＶＣ−４フレームからＰＰＰフレームを取得する処理の処理手順を示すフローチャートである。
【００９４】
図８に示すように、まず、伝送装置４０により送信されたデータを伝送装置５０のデータ受信処理部５０１が受信した場合に、ＶＣ−４終端処理部５０２のＤＥＭＵＸ実行部９０は、データ受信処理部５０１からＶＣ−４フレームを受信する（ステップＳ２０１）。
【００９５】
そして、ＶＣ−４終端処理部５０２のＤＥＭＵＸ実行部９０は、ＶＣ−４フレームをバイト単位で分波し（ステップＳ２０２）、ＶＣ−４終端処理部５０２の制御バイト検出部９２は、ＶＣ−４フレームの固定スタッフに固定スタッフ利用情報が含まれているか否かを調べる（ステップＳ２０３）。
【００９６】
ＶＣ−４フレームの固定スタッフに固定スタッフ利用情報が含まれている場合には（ステップＳ２０３，Ｙｅｓ）、ＶＣ−４終端処理部５０２のＤＥＭＵＸ実行部９０は、固定スタッフおよびペイロードの領域からなるフレーム格納領域からＰＰＰフレームを取得する（ステップＳ２０４）。
【００９７】
その後、ＶＣ−４終端処理部５０２のＤＥＭＵＸ実行部９０は、取得したＰＰＰフレームをＰＰＰ終端処理部５０３にデータバッファ９６を介して出力し（ステップＳ２０５）、このＰＰＰフレームを取得する処理を終了する。
【００９８】
ステップＳ２０３において、ＶＣ−４フレームの固定スタッフに固定スタッフ利用情報が含まれていない場合には（ステップＳ２０３，Ｎｏ）、ＶＣ−４終端処理部５０２のＤＥＭＵＸ実行部９０は、ペイロードの領域からＰＰＰフレームを取得する（ステップＳ２０６）。
【００９９】
そして、ステップＳ２０５に移行して、ＶＣ−４終端処理部５０２のＤＥＭＵＸ実行部９０は、取得したＰＰＰフレームをＰＰＰ終端処理部５０３にデータバッファ９６を介して出力し、このＰＰＰフレームを取得する処理を終了する。
【０１００】
つぎに、アイドルフレーム送信要求情報を固定スタッフに格納したＶＣ−４フレームを送信する処理の処理手順について説明する。図９は、アイドルフレーム送信要求情報を固定スタッフに格納したＶＣ−４フレームを送信する処理の処理手順を示すフローチャートである。
【０１０１】
図９に示すように、まず、伝送装置４０のデータ受信処理部４０６は、伝送装置５０からデータを受信する（ステップＳ３０１）。そして、エラスティックストア部４０２は、データ受信処理部４０６により受信され、ＶＣ−４終端処理部４０７およびＰＰＰ終端処理部４０８によりＶＣ−４フレームおよびＰＰＰフレームの終端処理がなされたデータを蓄積し（ステップＳ３０２）、蓄積量が所定の閾値以上であるか否かを調べる（ステップＳ３０３）。
【０１０２】
データの蓄積量が閾値以上である場合には（ステップＳ３０３，Ｙｅｓ）、ＶＣ−４マッピング処理部４０４の制御バイト設定部８３は、エラスティックストア部４０２から制御信号を受信し、アイドルフレームの送信を要求するアイドルフレーム送信要求情報を生成する（ステップＳ３０４）。
【０１０３】
そして、ＶＣ−４マッピング処理部４０４のＭＵＸ実行部８７は、アイドルフレーム送信要求情報を固定スタッフに含んだＶＣ−４フレームを生成する（ステップＳ３０５）。その後、データ送信処理部４０５は、生成したＶＣ−４フレームを伝送装置５０に送信し（ステップＳ３０６）、このＶＣ−４フレームの送信処理を終了する。
【０１０４】
ステップＳ３０３において、データの蓄積量が閾値未満である場合には（ステップＳ３０３，Ｎｏ）、ステップＳ３０１に移行して、データを受信する処理を実行し、それ以降の処理を継続する。
【０１０５】
なお、固定スタッフにアイドルフレーム送信要求情報を格納したＶＣ−４フレームを送信した後、エラスティックストア部４０９に蓄積されたデータのデータ量が閾値未満になった場合には、ＶＣ−４マッピング処理部４０４は、エラスティックストア部４０９からその通知を受け付け、固定スタッフをすべて「１」に設定し、ＰＰＰフレームをペイロードに格納した通常のＶＣ−４フレームを生成するよう処理の切り替えをおこなう。
【０１０６】
そして、固定スタッフの値がすべて「１」に設定されたＶＣ−４フレームを受信した伝送装置５０は、固定スタッフにアイドルフレーム送信要求情報が含まれないことを検出して、アイドルフレームの送信を停止することができる。
【０１０７】
また、ＶＣ−４マッピング処理部４０４は、固定スタッフに「ＡＡ」、「ＡＢ」、「Ａ８」、「ＡＥ」、「Ａ２」、「ＢＡ」、「８Ａ」、「ＥＡ」、「２Ａ」などの「Ａ」を含む値以外の値を設定したＶＣ−４フレームを伝送装置５０に送信することにより、伝送装置５０にアイドルフレームの送信を停止するよう要求することとしてもよい。
【０１０８】
つぎに、アイドルフレームを含んだＶＣ−４フレームを送信する処理の処理手順について説明する。図１０は、アイドルフレームを含んだＶＣ−４フレームを送信する処理の処理手順を示すフローチャートである。
【０１０９】
図１０に示すように、まず、伝送装置４０により送信されたデータを伝送装置５０のデータ受信処理部５０１が受信した場合に、ＶＣ−４終端処理部５０２のＤＥＭＵＸ実行部９０は、データ受信処理部５０１からＶＣ−４フレームを受信する（ステップＳ４０１）。
【０１１０】
そして、ＶＣ−４終端処理部５０２のＤＥＭＵＸ実行部９０は、ＶＣ−４フレームをバイト単位で分波し（ステップＳ４０２）、ＶＣ−４終端処理部５０２の制御バイト検出部９２は、ＶＣ−４フレームの固定スタッフにアイドルフレーム送信要求情報が含まれているか否かを調べる（ステップＳ４０３）。
【０１１１】
ＶＣ−４フレームにアイドルフレーム送信要求情報が含まれている場合には（ステップＳ４０３，Ｙｅｓ）、ＰＰＰマッピング処理部５０９は、ＶＣ−４終端処理部５０２からアイドルフレーム送信要求を受け付けて、アイドルフレームをＰＰＰフレーム間に挿入する処理をおこなう（ステップＳ４０４）。
【０１１２】
そして、ＶＣ−４マッピング処理部５１０は、アイドルフレームを挿入したＶＣ−４フレームを生成する（ステップＳ４０５）。その後、データ送信処理部５１１は、生成したＶＣ−４フレームを伝送装置４０に送信し（ステップＳ４０６）、このＶＣ−４フレームの送信処理を終了する。
【０１１３】
ステップＳ４０３において、ＶＣ−４フレームの固定スタッフにアイドルフレーム送信要求情報が含まれていない場合には（ステップＳ４０３，Ｎｏ）、ステップＳ４０１に移行して、ＶＣ−４フレームを受信する処理を実行し、それ以降の処理を継続する。
【０１１４】
上述してきたように、本実施例では、伝送装置４０のエラスティックストア部４０２、または、伝送装置４０のエラスティックストア部４０９が、クライアント装置または伝送装置５０から受信したデータのデータ量を検出し、検出したデータ量が所定の閾値を越えた場合に、ＶＣ−４マッピング処理部４０４が、固定スタッフに固定スタッフ利用情報またはアイドルフレーム送信要求情報を格納してＶＣ−４フレームを伝送装置５０に送信することとしたので、伝送装置４０にデータが蓄積しているような場合に、ＳＤＨネットワーク６０ａを介しておこなわれるデータ伝送処理の伝送効率を低下させることなく、データ伝送処理の制御を効率的におこなうことができる。
【０１１５】
また、本実施例では、伝送装置５０のＶＣ−４終端処理部５０２が、ＶＣフレームの固定スタッフに固定スタッフ利用情報またはアイドルフレーム送信要求情報を格納したフレームを受信し、固定スタッフ利用情報またはアイドルフレーム送信要求情報に基づいてＰＰＰフレームを取得する処理、または、ＰＰＰマッピング処理部５０９にアイドルフレームをＰＰＰフレーム間に挿入させる処理を実行することとしたので、ＳＤＨネットワーク６０ａを介しておこなわれるデータ伝送処理の伝送効率を低下させることなく、データ伝送処理の制御を効率的におこなうことができる。
【０１１６】
さて、これまで本発明の実施例について説明したが、本発明は上述した実施例以外にも、特許請求の範囲に記載した技術的思想の範囲内において種々の異なる実施例にて実施されてもよいものである。
【０１１７】
たとえば、本実施例では、ＳＤＨネットワークを介してＶＣフレームの一種であるＶＣ−４フレームを送受信する場合について説明したが、本発明はこれに限定されるものではなく、ＶＣ−３フレームなどのその他のＶＣフレームや、ＳＯＮＥＴネットワークにおけるＳＴＳ−３ｃ（Concatenated Synchronous Transport Signal Level 3）フレームなどのＳＴＳフレームを送受信する場合など、固定スタッフおよびペイロードの領域を有するＶＣ−４フレームのフレームフォーマットと同様のフレームフォーマットである他のフレームを送受信する場合にも本発明を同様に適用することができる。
【０１１８】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【０１１９】
この他、上記文書中や図面中で示した処理手順、制御手順、具体的名称、各種のデータやパラメータを含む情報については、特記する場合を除いて任意に変更することができる。
【０１２０】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２１】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１２２】
（付記１）ＳＤＨネットワークまたはＳＯＮＥＴネットワークを介してフレームを伝送するフレーム伝送装置であって、
他の装置から受信したデータのデータ量を検出するデータ量検出手段と、
前記データ量検出手段により検出されたデータ量が所定の閾値を越えた場合に、ＶＣフレームまたはＳＴＳフレームの固定スタッフにフレーム制御に係る情報を格納したフレームを伝送するフレーム伝送手段と、
を備えたことを特徴とするフレーム伝送装置。
【０１２３】
（付記２）前記フレーム伝送手段は、固定スタッフをデータの格納場所として利用することを示す固定スタッフ利用情報をフレーム制御に係る情報として固定スタッフに格納し、固定スタッフをデータの格納場所として利用したフレームを伝送することを特徴とする付記１に記載のフレーム伝送装置。
【０１２４】
（付記３）前記フレーム伝送手段は、アイドルフレームの挿入要求に係る情報をフレーム制御に係る情報として固定スタッフに格納したフレームを伝送することを特徴とする付記１に記載のフレーム伝送装置。
【０１２５】
（付記４）ＳＤＨネットワークまたはＳＯＮＥＴネットワークを介して伝送されたフレームを受信するフレーム受信装置であって、
ＶＣフレームまたはＳＴＳフレームの固定スタッフにフレーム制御に係る情報を格納したフレームを受信するフレーム受信手段と、
前記フレーム受信手段により受信されたフレームの固定スタッフに格納されたフレーム制御に係る情報に基づいてフレーム制御を実行するフレーム制御手段と、
を備えたことを特徴とするフレーム受信装置。
【０１２６】
（付記５）前記フレーム制御手段は、フレーム制御に係る情報として固定スタッフに格納され、固定スタッフをデータの格納場所として利用することを示す固定スタッフ利用情報に基づいて、固定スタッフを格納場所として利用することにより送信されたデータを取得するフレーム制御を実行することを特徴とする付記４に記載のフレーム受信装置。
【０１２７】
（付記６）前記フレーム制御手段は、フレーム制御に係る情報として固定スタッフに格納されたアイドルフレームの挿入要求に係る情報に基づいて、他の装置に伝送するフレーム間にアイドルフレームを挿入するフレーム制御を実行することを特徴とする付記４に記載のフレーム受信装置。
【０１２８】
（付記７）ＳＤＨネットワークまたはＳＯＮＥＴネットワークを介してフレームを送受信するフレーム送受信方法であって、
他の装置から受信したデータのデータ量を検出するデータ量検出工程と、
前記データ量検出工程により検出されたデータ量が所定の閾値を越えた場合に、ＶＣフレームまたはＳＴＳフレームの固定スタッフにフレーム制御に係る情報を格納したフレームを伝送するフレーム伝送工程と、
前記フレーム伝送工程により伝送されたフレームを受信した場合に、受信したフレームの固定スタッフに格納されたフレーム制御に係る情報に基づいてフレーム制御を実行するフレーム制御工程と、
を含んだことを特徴とするフレーム送受信方法。
【０１２９】
（付記８）ＳＤＨネットワークまたはＳＯＮＥＴネットワークを介してフレームを送受信するフレーム送受信システムであって、
他の装置から受信したデータのデータ量を検出するデータ量検出手段と、
前記データ量検出手段により検出されたデータ量が所定の閾値を越えた場合に、ＶＣフレームまたはＳＴＳフレームの固定スタッフにフレーム制御に係る情報を格納したフレームを伝送するフレーム伝送手段と、
前記フレーム伝送手段により伝送されたフレームを受信した場合に、受信したフレームの固定スタッフに格納されたフレーム制御に係る情報に基づいてフレーム制御を実行するフレーム制御手段と、
を備えたことを特徴とするフレーム送受信システム。
【産業上の利用可能性】
【０１３０】
以上のように、本発明に係るフレーム伝送装置およびフレーム受信装置は、ＳＤＨ／ＳＯＮＥＴネットワークを介しておこなわれるデータ伝送処理の伝送効率を低下させることなく、データ伝送処理の制御を効率的におこなうことが必要なフレーム送受信システムに有用である。
【図面の簡単な説明】
【０１３１】
【図１】ＶＣ−４フレーム１０の固定スタッフ１２をデータの格納場所として利用するフレーム伝送処理の概念を説明する図である。
【図２】ＶＣ−４フレーム２０の固定スタッフ２２をアイドルフレームの送信要求の格納場所として利用するフレーム伝送処理の概念を説明する図である。
【図３】アイドルフレーム３５をＰＰＰフレーム３４ａ，３４ｂ間に挿入してＶＣ−４フレーム３０に格納する処理を説明する図である。
【図４】本実施例に係るフレーム送受信システムの機能構成を示す図である。
【図５】図４に示したＶＣ−４マッピング処理部４０４の詳細な機能構成を示す図である。
【図６】図４に示したＶＣ−４終端処理部５０２の詳細な機能構成を示す図である。
【図７】固定スタッフをＰＰＰフレームの格納場所として利用したＶＣ−４フレームを送信する処理の処理手順を示すフローチャートである。
【図８】ＶＣ−４フレームからＰＰＰフレームを取得する処理の処理手順を示すフローチャートである。
【図９】アイドルフレーム送信要求を固定スタッフに格納したＶＣ−４フレームを送信する処理の処理手順を示すフローチャートである。
【図１０】アイドルフレームを含んだＶＣ−４フレームを送信する処理の処理手順を示すフローチャートである。
【図１１】従来のＥＯＳの技術を説明する図である。
【符号の説明】
【０１３２】
１ａ〜１ｈ    クライアント装置
１０，２０，３０    ＶＣ−４フレーム
１１，２１，３１    ＰＯＨ
１２，２２，３２    固定スタッフ
１３，２３，３３    ペイロード
２ａ，２ｂ    伝送装置
３ａ，３ｂ    ＬＡＮ
３４ａ，３４ｂ    ＰＰＰフレーム
３５    アイドルフレーム
４    ＳＤＨ／ＳＯＮＥＴネットワーク
４０    伝送装置
４０１    データ受信処理部
４０２    エラスティックストア部
４０３    ＰＰＰマッピング処理部
４０４    ＶＣ−４マッピング処理部
４０５    データ送信処理部
４０６    データ受信処理部
４０７    ＶＣ−４終端処理部
４０８    ＰＰＰ終端処理部
４０９    エラスティックストア部
４１０    データ送信処理部
４１１    クロック信号発振部
５０    伝送装置
５０１    データ受信処理部
５０２    ＶＣ−４終端処理部
５０３    ＰＰＰ終端処理部
５０４    エラスティックストア部
５０５    データ送信処理部
５０６    クロック信号発振部
５０７    データ受信処理部
５０８    エラスティックストア部
５０９    ＰＰＰマッピング処理部
５１０    ＶＣ−４マッピング処理部
５１１    データ送信処理部
６０ａ，６０ｂ    ＳＤＨネットワーク
７０    クロック信号発振装置
８０    データバッファ
８１    固定スタッフ設定部
８２    ＰＯＨ制御部
８３    制御バイト設定部
８４    ＭＵＸ制御部
８５    ２６１進カウンタ
８６    ９進カウンタ
８７    ＭＵＸ実行部
９０    ＤＥＭＵＸ実行部
９１    ＰＯＨ制御部
９２    制御バイト検出部
９３    ＤＥＭＵＸ制御部
９４    ２６１進カウンタ
９５    ９進カウンタ
９６    データバッファ
【図１】
2006135754.tif 000003
【図２】
2006135754.tif 000004
【図３】
2006135754.tif 000005
【図４】
2006135754.tif 000006
【図５】
2006135754.tif 000007
【図６】
2006135754.tif 000008
【図７】
2006135754.tif 000009
【図８】
2006135754.tif 000010
【図９】
2006135754.tif 000011
【図１０】
2006135754.tif 000012
【図１１】
2006135754.tif 000013